(57)【要約】【課題】録画装置において、複数のコンテンツを一括してダビングする際に、ダビング対象のコンテンツを選択した後であっても容易に各種設定値を変更でき、ユーザの操作の手間を低減する。【解決手段】ＨＤＲは、接続されたＴＶ受像機に映像を表示する。ＨＤＲは、ダビング予約リストの編集が指示されると（Ｓ２１）、予め作成されたダビング予約リストを表示する（Ｓ２２）。そして、ユーザによりダビング予約リストの中から編集したいリストが選択されると（Ｓ２３）、選択されたリストに格納されたタイトル情報を表示し（Ｓ２４）、さらにユーザによって選択されたタイトル情報に対応するＴＶ番組についてのダビング設定値の編集画面を表示する（Ｓ２６）。そして、ユーザにより、ダビング設定値が変更された後（Ｓ２７）、ダビングの実行が指示されると、ＨＤＲは、変更後のダビング設定値の内容に基づいてＴＶ番組をダビングする。【選択図】図５
2012123860.tif 000002
【特許請求の範囲】
【請求項１】
コンテンツを録画可能なハードディスクと、
前記コンテンツを記録可能な記録メディアを装着可能な装着部と、
前記装着部に装着された記録メディアに、前記ハードディスクに録画されているコンテツのダビングを行うダビング手段と、
ユーザによって操作され、前記ハードディスクに録画されたコンテンツの中から、前記記録メディアにダビングする予定であるコンテンツを選択するためのコンテンツ選択手段と、
前記コンテンツ選択手段によって選択されたダビング予定のコンテンツのタイトル情報を記憶するダビング予約情報記憶手段と、
ユーザによって操作され、前記ダビング予約情報記憶手段に記憶されたタイトル情報に対応するダビング予定のコンテンツを前記記録メディアに一括してダビングするよう指示するための一括ダビング指示手段と、
装置各部を制御する制御手段とを備える録画装置において、
前記ダビング予約情報記憶手段には、コンテンツを前記記録メディアに一括してダビングする際の各種の設定値が記憶されており、
ユーザによって操作され、前記ダビング予約情報記憶手段に記憶された前記設定値の内容を変更するための設定値変更指示手段をさらに備え、
前記制御手段は、ユーザによって前記設定値変更指示手段が操作されて、前記設定値の内容が変更された後に、前記一括ダビング指示手段が操作されると、前記ダビング手段を用いて、前記ダビング予約情報記憶手段に記憶されたタイトル情報に対応するダビング予定のコンテンツを、変更後の該設定値の内容に基づいて、一括して前記記録メディアにダビングすることを特徴とする録画装置。
【請求項２】
前記設定値には、コンテンツを前記記録メディアにダビングする際の画質設定値と、コンテンツのダビング順の設定値とが含まれており、
ユーザが設定値変更指示手段を操作することにより、前記画質設定値の内容と、前記ダビング順の設定値の内容とを変更可能に構成されていることを特徴とする請求項１に記載の録画装置。
【発明の詳細な説明】
【技術分野】
【０００１】
本発明は、コンテンツをダビング可能な録画装置に関する。
【背景技術】
【０００２】
従来から、ハードディスク（以下、ＨＤＤという）に録画したテレビジョン番組等のコンテンツをＤＶＤ等の記録メディアにダビング可能なハードディスクレコーダ（以下、ＨＤＲという）が知られている。
【０００３】
ところで、近年、ＨＤＤの大容量化に伴い、膨大な数のコンテンツをＨＤＤに録画可能なＨＤＲが普及している。この種のＨＤＲにおいては、複数のコンテンツを同一の記録メディアにダビングする方法として、ユーザがコンテンツごとに逐次ダビング操作を行うことにより、複数のコンテンツを同一の記録メディアにダビングする方法が知られている。しかしながら、この方法では、ユーザがダビング操作を繰り返さなければならないため、ダビング操作が非常に煩雑であるという問題がある。
【０００４】
これに対して、ダビング対象である複数のコンテンツを選択した後に、一括して記録メディアにダビングするＨＤＲが知られている。しかしながら、このＨＤＲでは、ダビング対象である複数のコンテンツを選択した後、ダビングする際の画質等の設定値を変更することができない。従って、コンテンツを選択した後にダビングする際の画質等の設定値を変更したい場合、ユーザは、再度、ダビング対象である複数のコンテンツを選択し直さなければならないため、ユーザにとって複数のコンテンツをダビングする際のダビング操作が非常に煩雑である。
【０００５】
これに対して、特許文献１には、録画リストにおいてダビングを行いたい番組の仮予約を行い、仮予約した複数の番組について、ダビング条件の充足や、ダビング動作設定の読み込みや、ダビング元とダビング先の決定や、実際のダビング処理から終了した旨の報知等の一連の処理を、一発ダビングキーを押すだけの操作により行う記録再生装置が開示されている。しかしながら、この記録再生装置であっても、ダビング対象である複数のコンテンツを選択した後、ダビングする際の画質等の設定値を変更することができないため、上記問題を解決できない。
【０００６】
また、特許文献２には、選択対象であるか否かを示す第１フラグが付加された映像音声情報のうちから第１フラグが付加された映像音声情報をダビング対象として選択する情報選択手段と、情報選択手段によりダビング対象として選択された映像音声情報を光ディスクにダビングするダビング制御手段とを備え、一括ダビングの指示がユーザによって入力されたときに、ダビング対象として選択された映像音声情報を光ディスクにダビングする録画再生装置が開示されている。しかしながら、この録画再生装置であっても、上記問題を解決できない。
【先行技術文献】
【特許文献】
【０００７】
【特許文献１】特開２００８−２７５６０号公報
【特許文献２】特開２００７−２００４０２号公報
【発明の概要】
【発明が解決しようとする課題】
【０００８】
本発明は、上述した問題点を解決するためになされたものであり、複数のコンテンツを一括してダビングする際に、ダビング対象のコンテンツを選択した後であっても容易にダビングする際の各種設定値を変更できるようにして、ユーザによる操作の手間を低減できる録画装置を提供することを目的とする。
【課題を解決するための手段】
【０００９】
上記目的を達成するために請求項１の発明は、コンテンツを録画可能なハードディスクと、前記コンテンツを記録可能な記録メディアを装着可能な装着部と、前記装着部に装着された記録メディアに、前記ハードディスクに録画されているコンテツのダビングを行うダビング手段と、ユーザによって操作され、前記ハードディスクに録画されたコンテンツの中から、前記記録メディアにダビングする予定であるコンテンツを選択するためのコンテンツ選択手段と、前記コンテンツ選択手段によって選択されたダビング予定のコンテンツのタイトル情報を記憶するダビング予約情報記憶手段と、ユーザによって操作され、前記ダビング予約情報記憶手段に記憶されたタイトル情報に対応するダビング予定のコンテンツを前記記録メディアに一括してダビングするよう指示するための一括ダビング指示手段と、装置各部を制御する制御手段とを備える録画装置において、前記ダビング予約情報記憶手段には、コンテンツを前記記録メディアに一括してダビングする際の各種の設定値が記憶されており、ユーザによって操作され、前記ダビング予約情報記憶手段に記憶された前記設定値の内容を変更するための設定値変更指示手段をさらに備え、前記制御手段は、ユーザによって前記設定値変更指示手段が操作されて、前記設定値の内容が変更された後に、前記一括ダビング指示手段が操作されると、前記ダビング手段を用いて、前記ダビング予約情報記憶手段に記憶されたタイトル情報に対応するダビング予定のコンテンツを、変更後の該設定値の内容に基づいて、一括して前記記録メディアにダビングするものである。
【００１０】
また、請求項２の発明は、請求項１に記載の録画装置において、前記設定値には、コンテンツを前記記録メディアにダビングする際の画質設定値と、コンテンツのダビング順の設定値とが含まれており、ユーザが設定値変更指示手段を操作することにより、前記画質設定値の内容と、前記ダビング順の設定値の内容とを変更可能に構成されているものである。
【発明の効果】
【００１１】
本発明によれば、設定値の内容が変更された後に、一括ダビング指示手段が操作されると、ダビング予約情報記憶手段に記憶されたタイトル情報に対応するダビング予定のコンテンツを変更後の設定値の内容に基づいて、一括して記録メディアにダビングする。そのため、ダビングする予定である複数のコンテンツを選択した後であっても、一括ダビングを行う際の設定値の内容を容易に変更できるので、ユーザによる操作の手間を低減できる。
【図面の簡単な説明】
【００１２】
【図１】本発明の一実施形態に係るＨＤＲと、このＨＤＲに接続されたＴＶ受像機とを含む録画システムを示す斜視図。
【図２】上記ＨＤＲの内部構成を示すブロック図。
【図３】上記ＴＶ受像機の内部構成を示すブロック図。
【図４】上記ＨＤＲにおけるダビング予約リストの生成処理の手順を示すフローチャート。
【図５】上記ＨＤＲにおけるダビング予約リストの編集処理の手順を示すフローチャート。
【図６】上記ＨＤＲにおけるダビング処理の手順を示すフローチャート。
【発明を実施するための形態】
【００１３】
以下、本発明の一実施形態に係るハードディスクレコーダ（請求項における録画装置）について、図１乃至図３を参照して説明する。図１は、ハードディスクレコーダ（以下、ＨＤＲという）１と、このＨＤＲ１にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル４を介して接続されたテレビジョン（以下、ＴＶという）受像機２とを含む録画システム１００の概略構成を示す。図２は、ＨＤＲ１の内部構成を示し、図３は、ＴＶ受像機２の内部構成を示す。
【００１４】
ＨＤＲ１は、放送局から放送されるＴＶ番組の録画再生、及び録画した番組のＤＶＤ等の光ディスク（記録メディア）Ｄへのコピー（ダビング）を行うことができる。ＨＤＲ１、及びＴＶ受像機２は、いずれもＨＤＭＩに対応した機器であり、ＨＤＭＩ−ＣＥＣ（Ｃｏｎｓｕｍｅｒ  Ｅｌｅｃｔｒｏｎｉｃｓ  Ｃｏｎｔｒｏｌ）に基づくＣＥＣコマンドと、ＣＥＣコマンドに対するレスポンスデータとを送受信可能である。
【００１５】
ＴＶ受像機２は、ＨＤＭＩケーブル４を介してＨＤＲ１から供給された映像をディスプレイ２４に表示可能である。ＨＤＭＩケーブル４は、映像信号及び音声信号等の伝送ラインであるＴＭＤＳ（Ｔｒａｎｓｉｔｉｏｎ  Ｍｉｎｉｍｉｚｅｄ  Ｄｉｆｆｅｒｅｎｔｉａｌ  Ｓｉｎｇｎａｌｉｎｇ）ラインと、ＣＥＣコマンドを双方向に伝送する伝送ラインであるＣＥＣラインとを含むものである。
【００１６】
ＨＤＲ１は、図２に示すように、アンテナ１１に接続され、デジタル放送信号を受信するチューナ部１２と、デコーダ部１３と、リモコン（コンテンツ選択手段、設定値変更指示手段、一括ダビング指示手段）５から送信されるリモコン信号を受信するリモコン信号受信部１４と、ＨＤＭＩ規格に対応した外部機器を接続するためのＨＤＭＩ端子部１５とを備える。また、ＨＤＲ１は、各種情報を記憶したメモリ（ダビング予約情報記憶手段）１６と、チューナ部１２によって受信されたＴＶ番組等のコンテンツを録画するハードディスク（以下、ＨＤＤという）１７と、ＨＤＤ１７に対するＴＶ番組の書き込みや読み出しを行うアクセス部１８と、光ディスク（記録メディア）Ｄが装着される光ディスクドライブ（装着部）１９と、装置各部を制御するための制御用マイコン（制御手段）１０とをさらに備える。
【００１７】
リモコン５は、複数のボタン（図示せず）を有し、ユーザがボタンを操作することにより、各種動作指示をＨＤＲ１に対して行うことができる。具体的には例えば、光ディスクＤにダビングする予定であるＴＶ番組を選択するためのＴＶ番組選択操作や、複数のＴＶ番組を光ディスクＤに一括してダビングするように指示するための一括ダビングの開始操作や、ダビングを行う際の各種設定値の変更を指示するためのダビング設定値変更操作を行うことができる。
【００１８】
チューナ部１２は、アンテナ１１を介して、放送局から配信される各チャンネルのデジタル放送信号を受信する。デジタル放送信号には、ＴＶ番組の映像信号及び音声信号と、配信されるＴＶ番組の番組情報とが含まれている。
【００１９】
デコーダ部１３は、チューナ部１２によって受信されたデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００２０】
映像デコード回路は、映像信号を含むＴＳパケットに対して復号化処理を行い、映像信号を抽出し、抽出した映像信号を制御用マイコン１０に出力する。音声デコード回路は、音声信号を含むＴＳパケットに対して復号化処理を行い、音声信号を抽出し、抽出した音声信号を制御用マイコン１０に出力する。
【００２１】
データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータを制御用マイコン１０に出力する。ＳＩデータは、ＴＶ番組の番組情報が格納されたＥＩＴ（Ｅｖｅｎｔ  Ｉｎｆｏｒｍａｔｉｏｎ  Ｔａｂｌｅ）等を有している。
【００２２】
ＨＤＭＩ端子部１５には、ＴＶ受像機２と接続されたＨＤＭＩケーブル４の一端が接続されている。メモリ１６は、制御用マイコン１０を動作させるためのプログラム１６ａと、ＥＩＴの内容に基づく番組情報１６ｂと、予約録画を行うＴＶ番組の情報が格納された予約録画番組情報１６ｃと、ダビング予約リスト情報（ダビング予約情報記憶手段）１６ｄとを格納している。
【００２３】
予約録画番組情報１６ｃには、ユーザによって設定された予約録画番組の情報が格納されている。具体的には例えば、「○月○日の午後８時から午後８時５４分までＡチャンネルを録画する」といった予約録画情報が格納されている。
【００２４】
ダビング予約リスト情報１６ｄには、ダビング予約リスト３１ａと、コンテンツを光ディスクＤに一括してダビングする際の各種のダビング設定値３１ｂとが格納されている。なお、ダビング予約リスト情報１６ｄには、複数のダビング予約リスト３１ａを記憶でき、それぞれのダビング予約リスト３１ａに対応するダビング設定値３１ｂをさらに記憶できる。
【００２５】
ダビング予約リスト３１ａには、ユーザによってダビング対象として選択されたＴＶ番組のタイトル情報が格納されている。具体的には例えば、ダビング予約リストＡには、「ドラマＡの第１話」、「ドラマＡの第２話」、「ドラマＡの第３話」の３つのＴＶ番組のタイトル情報が格納されている。
【００２６】
ダビング設定値３１ｂには、ダビング予約リスト３１ａに格納されたタイトル情報に対応するＴＶ番組を一括して光ディスクＤにダビングする際の各種の設定値が格納されている。具体的には例えば、ダビング設定値３１ｂには、ＴＶ番組を光ディスクＤに一括してダビングする際において、全てのＴＶ番組に対する（統一した）画質設定値と、ＴＶ番組を光ディスクＤに一括してダビングする際のダビング順の設定値とが含まれている。なお、ダビング設定値３１ｂには、ＴＶ番組を光ディスクＤに一括してダビングする際において、ＴＶ番組ごとに（個別の）画質設定値を格納することもできる。
【００２７】
光ディスクドライブ１９は、内部にＤＶＤ等の光ディスクＤが装着され、光ディスクＤからのコンテンツの読み出しや、ＨＤＤ１７に録画されているＴＶ番組の光ディスクＤへの書込み（ダビング）を行う。
【００２８】
制御用マイコン１０は、再生制御部１０ａと、録画制御部１０ｂと、番組情報取得部１０ｃと、ＨＤＭＩ通信制御部１０ｄと、ダビング処理部（ダビング手段）１０ｅと、ダビング情報制御部１０ｆとを有し、ユーザによるリモコン５の操作に基づいてＨＤＲ１の制御処理を行う。制御用マイコン１０による動作モードには、ユーザによってダビング対象であるＴＶ番組が選択され、ダビング予約リスト３１ａを生成する際の動作モードであるダビング予約リスト生成モードや、ダビング予約リスト３１ａの内容に基づいて、複数のＴＶ番組を一括してダビングする動作モードである一括ダビングモードや、ダビング予約リスト３１ａやダビング設定値３１ｂの内容を変更する動作モードであるダビング予約リスト編集モードを含む複数の動作モードがある。ユーザは、リモコン５を操作することにより、各動作モードを選択可能である。
【００２９】
再生制御部１０ａは、アクセス部１８によってＨＤＤ１７から読み出されたＴＶ番組の再生を行い、再生されたＴＶ番組の映像信号及び音声信号を、ＨＤＭＩケーブル４を介してＴＶ受像機２に出力する処理を行う。録画制御部１０ｂは、ユーザによる録画指示や予約録画番組情報１６ｃの内容に基づき、チューナ部１２によって受信されたＴＶ番組を、アクセス部１８を用いてＨＤＤ１７に録画する処理を行う。
【００３０】
番組情報取得部１０ｃは、デコーダ部１３から受信したＥＩＴに基づき、番組タイトルや放送開始時間等のＴＶ番組の番組情報を取得して、メモリ１６の番組情報１６ｂに格納する処理を行う。
【００３１】
ＨＤＭＩ通信制御部１０ｄは、ＴＶ受像機２に対して、ＨＤＭＩ−ＣＥＣ規格に基づくＣＥＣコマンド及びレスポンスデータの送受信や、再生制御部１０ａによって再生されたコンテンツの映像信号及び音声信号の送信を行う。
【００３２】
ダビング処理部１０ｅは、光ディスクドライブ１９に装着された光ディスクＤに、ＨＤＤ１７に録画されているＴＶ番組をコピー（ダビング）するダビング処理を行う。また、ダビング処理部１０ｅは、ダビング予約リスト３１ａに格納されたタイトル情報に対応するＴＶ番組を一括して光ディスクＤにダビングする処理も行う。
【００３３】
ダビング情報制御部１０ｆは、ユーザによる指示に基づいて、光ディスクＤにダビングするＴＶ番組のタイトル情報をダビング予約リスト３１ａに格納する処理や、ダビング設定値３１ｂの内容を変更する処理を行う。また、ダビング情報制御部１０ｆは、ダビング予約リスト３１ａとダビング設定値３１ｂの内容を取得して、ＴＶ受像機２のディスプレイ２４に表示する処理を行う。
【００３４】
ＴＶ受像機２は、図３に示すように、アンテナ２１に接続され、デジタル放送信号を受信するチューナ部２２と、デコーダ部２３と、映像を表示するディスプレイ２４と、音声を出力するスピーカ２５と、ユーザによって操作される複数のボタンを有する操作部２６とを備える。また、ＴＶ受像機２は、ＨＤＭＩに対応した外部機器を接続するためのＨＤＭＩ端子部２７と、各種情報を記憶したメモリ２８と、装置各部を制御するための制御用マイコン２９とをさらに備える。
【００３５】
チューナ部２２は、アンテナ２１を介して、放送局から配信される各チャンネルのデジタル放送信号を受信する。デジタル放送信号には、ＴＶ番組の映像信号及び音声信号と、配信されるＴＶ番組の番組タイトル等の番組情報とが含まれている。
【００３６】
デコーダ部２３は、チューナ部２２によって受信されたデジタル放送信号に対して復調処理や誤り訂正処理等を行い、多重化された信号から必要なＴＳパケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００３７】
映像デコード回路は、映像信号を含むＴＳパケットに対して復号化処理を行い、映像信号を抽出し、抽出した映像信号を制御用マイコン２９に出力する。音声デコード回路は、音声信号を含むＴＳパケットに対して復号化処理を行い、音声信号を抽出し、抽出した音声信号を制御用マイコン２９に出力する。データデコード回路は、ＳＩデータを含むＴＳパケットに対して復号化処理を行い、ＳＩデータを抽出し、抽出したＳＩデータを制御用マイコン２９に出力する。
【００３８】
ディスプレイ２４は、チューナ部２２によって受信されたＴＶ番組の映像や、ＨＤＲ１から供給された映像を表示する。スピーカ２５は、チューナ部２２によって受信されたＴＶ番組の音声や、ＨＤＲ１から供給された音声を出力する。ＨＤＭＩ端子部２７には、ＨＤＲ１と接続されたＨＤＭＩケーブル４の他端が接続されている。メモリ２８は、制御用マイコン２９を動作させるためのプログラム２８ａを格納している。
【００３９】
制御用マイコン２９は、映像出力部２９ａと、音声出力部２９ｂと、ＨＤＭＩ通信制御部２９ｃとを有し、ユーザによる操作部２６の操作に基づいて自装置の制御処理を行う。
【００４０】
映像出力部２９ａは、デコーダ部２３から受信したＴＶ番組の映像信号や、ＨＤＲ１から供給された映像信号をディスプレイ２４に出力する。音声出力部２９ｂは、デコーダ部２３から受信したＴＶ番組の音声信号や、ＨＤＲ１から供給された音声信号をスピーカ２５に出力する。ＨＤＭＩ通信制御部２９ｃは、ＨＤＲ１に対して、ＨＤＭＩ−ＣＥＣに基づくＣＥＣコマンド及びレスポンスデータの送受信や、ＨＤＲ１から送信された映像信号及び音声信号の受信を行う処理をする。
【００４１】
次に、ＨＤＲ１におけるダビング予約リスト３１ａの生成処理の手順について、図４に示すフローチャートを参照して説明する。ここでは、ＨＤＤ１８にＴＶ番組が録画されているものとする。また、ＨＤＲ１は、ダビング予約リスト生成モードで動作しているものとする。
【００４２】
まず、ユーザによるリモコン５の操作により、ダビング予約リスト３１ａの生成画面の表示が指示されると（Ｓ１）、制御用マイコン１０は、ＨＤＤ１７に録画されているＴＶ番組のタイトルリストをＴＶ受像機２のディスプレイ２４に表示する（Ｓ２）。
【００４３】
そして、ユーザがリモコン５を操作することにより、ダビングしたいＴＶ番組を選択すると共に、選択したＴＶ番組のタイトル情報の格納先のダビング予約リストを選択する（Ｓ３）。このとき、ユーザによって選択したＴＶ番組を新規ダビング予約リストに格納するように指示された場合（Ｓ４でＹＥＳ）、制御用マイコン１０は、ダビング情報制御部１０ｆを用いて、ユーザによって設定された光ディスクの種類や、ダビング時の画質に基づいて、新規のダビング予約リスト３１ａを生成し、選択されたＴＶ番組をこのダビング予約リスト３１ａに格納する（Ｓ５）。
【００４４】
一方、ユーザによって、選択されたＴＶ番組を既存のダビング予約リスト３１ａに格納するように指示された場合（Ｓ４でＮＯ）、制御用マイコン１０は、ダビング情報制御部１０ｆを用いて、メモリ１６に記憶された既存のダビング予約リスト３１ａをディスプレイ２４に表示し（Ｓ６）、ユーザによって選択されたダビング予約リスト３１ａに、上記Ｓ３で選択されたＴＶ番組のタイトル情報を格納する（Ｓ７）。
【００４５】
そして、制御用マイコン１０は、ダビング予約リスト３１ａに格納されたタイトル情報に対応するＴＶ番組を、１枚の光ディスクＤにダビング可能であるか否かを判断し（Ｓ８）、この結果、ダビング可能である場合（Ｓ９でＹＥＳ）、ダビング予約リスト３１ａの生成処理を終了する（Ｓ１０）。
【００４６】
一方、上記Ｓ８の判断の結果、１枚の光ディスクＤにダビングできない場合（Ｓ９でＮＯ）、制御用マイコン１０は、光ディスクの種類やダビング時の画質の変更を行うための画面を表示し（Ｓ１１）、ユーザによってダビング設定値３１ｂの内容が変更されると（Ｓ１２）、ダビング予約リスト３１ａの作成を完了する（Ｓ１０）。なお、上記Ｓ１２において、ユーザはダビング対象であるＴＶ番組ごとに画質を変更してもよい。
【００４７】
次に、ＨＤＲ１におけるダビング予約リスト３１ａの編集処理の手順について、図５に示すフローチャートを参照して説明する。ここでは、予め、ダビング予約リスト３１ａが生成されているものとする。また、ＨＤＲ１は、ダビング予約リスト編集モードで動作しているものとする。
【００４８】
ユーザによるリモコン５の操作により、ダビング予約リスト３１ａの編集画面の表示が指示されると（Ｓ２１）、制御用マイコン１０は、ダビング情報制御部１０ｆを用いて、メモリ１６に記憶されているダビング予約リスト３１ａをＴＶ受像機２のディスプレイ２４に表示する（Ｓ２２）。
【００４９】
そして、ユーザによるリモコン５の操作により、表示されたダビング予約リスト３１ａの中から編集したいダビング予約リスト３１ａを選択すると（Ｓ２３）、制御用マイコン１０は、選択されたダビング予約リスト３１ａに格納されているタイトル情報をディスプレイ２４に表示する（Ｓ２４）。
【００５０】
そして、ユーザによるリモコン５の操作により、編集したいタイトル情報が選択されると（Ｓ２５）、制御用マイコン１０は、選択されたタイトル情報に対応するＴＶ番組についてのダビング設定値３１ｂの編集画面を表示する（Ｓ２６）。具体的には例えば、ダビング設定値３１ｂの編集画面は、画質やダビングの順番の設定値の変更を行うための画面である。
【００５１】
そして、ユーザによるリモコン５の操作により、ダビング設定値が変更されると（Ｓ２７）、制御用マイコン１０は、変更された内容に基づいてダビング設定値３１ｂを更新する（Ｓ２８）。具体的には例えば、ユーザによってダビング時の画質が変更されると、変更後の画質に基づいてダビング設定値３１ｂを更新する（上記Ｓ２８に相当）。なお、ここでは、ダビング予約リスト３１ａに格納された各タイトル情報に対応する個別のＴＶ番組のダビング設定値３１ｂを変更する例を示したが、ダビング予約リスト３１ａに格納された全てのタイトル情報に対応するＴＶ番組を一括してダビングする際の画質を一括して変更するものであってもよい。また、ダビング予約リスト３１ａに格納されているタイトル情報を削除したり、ダビング予約リスト３１ａに格納されたタイトル情報に対応するＴＶ番組のダビング順の変更を指示するものであってもよい。
【００５２】
次に、ＨＤＲ１におけるダビング処理の手順について、図６に示すフローチャートを参照して説明する。ここでは、ＨＤＲ１は、一括ダビングモードで動作しているものとする。
【００５３】
ユーザによるリモコン５の操作により、ディスク作成画面の表示が指示されると（Ｓ３１）、制御用マイコン１０は、ダビング情報制御部１０ｆを用いて、メモリ１６に記憶されているダビング予約リスト３１ａをＴＶ受像機２のディスプレイ２４に表示する（Ｓ３２）。
【００５４】
そして、ユーザによるリモコン５の操作により、ダビングを実行するダビング予約リスト３１ａが選択されると（Ｓ３３）、制御用マイコン１０は、光ディスクドライブ１９への光ディスクＤの装着をユーザに促すメッセージをディスプレイ２４に表示する。これに応じて、ユーザが光ディスクドライブ１９に光ディスクＤを装着する（Ｓ３４）。ここで表示されるメッセージは、例えば「ＤＶＤディスクをディスクドライブに挿入してください」である。
【００５５】
そして、制御用マイコン１０は、光ディスクドライブ１９に装着された光ディスクＤに、上記Ｓ３３で選択されたダビング予約リスト３１ａのタイトル情報に対応するＴＶ番組をダビングした場合に、光ディスクＤに空き容量があるか否かを判断し（Ｓ３５）、空き容量が十分にあると判断した場合（Ｓ３６でＹＥＳ）、ダビングする際の画質を現在よりも高画質にするか否かをユーザに確認する。これに対して、ユーザは高画質にするか否かを選択する（Ｓ３７）。
【００５６】
そして、制御用マイコン１０は、ダビング終了後に、上記Ｓ３３で選択したダビング予約リスト３１ａを削除するか否かをユーザに確認し、ユーザによって削除するか否かが選択される（Ｓ３８）。そして、制御用マイコン１０は、ユーザによるリモコン操作により、一括ダビングの実行が指示されると、ダビング処理部１０ｅを用いて、上記Ｓ３３で選択されたダビング予約リスト３１ａのタイトル情報に対応するＴＶ番組を、光ディスクＤにダビングする（Ｓ３９）。このダビング処理は、上記Ｓ３３で選択されたダビング予約リスト３１ａに対応するダビング設定値３１ｂの内容に基づいて行われる。
【００５７】
そして、ダビング終了後、上記Ｓ３８でダビング予約リスト３１ａを削除するように設定されている場合、制御用マイコン１０は、上記Ｓ３３で選択されたダビング予約リスト３１ａを削除する（Ｓ４０）。
【００５８】
上述したように、本実施形態に係るＨＤＲ１においては、既に作成されたダビング予約リスト３１ａのダビング設定値３１ｂの内容が変更された後に、ユーザによって一括ダビング処理の開始が指示されると、ダビング予約リスト３１ａに記憶されたタイトル情報に対応するダビング予定のＴＶ番組を、変更後のダビング設定値３１ｂの内容に基づいて、一括して光ディスクＤにダビングする。そのため、ダビングする予定である複数のＴＶ番組を選択した後であっても、一括ダビングを行う際のダビング設定値３１ｂの内容を容易に変更できるので、ユーザによる操作の手間を低減できる。
【００５９】
また、ダビングする予定である複数のＴＶ番組を選択した後であっても、一括ダビングを行う際の画質やダビング順番を容易に変更できるため、ユーザによる操作の手間を低減できる。
【００６０】
なお、本発明は、上記実施形態の構成に限られず、発明の趣旨を変更しない範囲で種々の変形が可能である。例えば、上記実施形態において、請求項に示す録画装置がＨＤＲである例を示したが、これに限られず、コンテンツを記録メディアにダビング可能なＡＶ機器であればよい。また、請求項に示す記録メディアが光ディスクである例を示したが、ＴＶ番組等のコンテンツを記録可能な外部記録媒体であればよい。
【００６１】
また、上記実施形態の構成においては、ダビング予約リストの生成処理で、ＨＤＤに録画されているＴＶ番組からダビング対象のＴＶ番組を選択したが、これに限られず、予約録画番組情報に基づいて、予約録画を行うＴＶ番組の中からダビングする予定のＴＶ番組を選択してもよい。
【符号の説明】
【００６２】
１  ＨＤＲ（録画装置）
５  リモコン（コンテンツ選択手段、設定値変更指示手段、一括ダビング指示手段）
１０  制御用マイコン（制御手段）
１６  メモリ（ダビング予約情報記憶手段）
１７  ＨＤＤ（ハードディスク）
１９  光ディスクドライブ（装着部）
１０ｅ  ダビング処理部（ダビング手段）
１６ｄ  ダビング予約リスト情報（ダビング予約情報記憶手段）
３１ｂ  ダビング設定値（設定値、画質設定値、ダビング順の設定値）
Ｄ  光ディスク（記録メディア）
【図１】
2012123860.tif 000003
【図２】
2012123860.tif 000004
【図３】
2012123860.tif 000005
【図４】
2012123860.tif 000006
【図５】
2012123860.tif 000007
【図６】
2012123860.tif 000008